(57)【要約】【課題】洗濯機の周囲の構造物との干渉を回避しつつ、洗濯機から排水と共に排出されるリントを捕集することができるリント捕集器を提供する。【解決手段】リント捕集器１００は、洗濯機から排水と共に排出されるリント（糸屑）を捕集するフィルタ１０４と、洗濯機の排水ホースが接続され、フィルタを収容するケース１０１と、ケースと接合し、かつ、排水を排水管に排出する排水トラップ２００に接続され、ケース内の排水を洗濯機の下方に位置する排水トラップに排出する排出筒１０３と、を有する。ここで、排出筒は、ケースの下部から下方に向かって伸長させた先端１０３ｂが排水トラップに直に接続される。【選択図】図３
2018000784.tif 000002
【特許請求の範囲】
【請求項１】
洗濯機から排水と共に排出されるリントを捕集するフィルタと、
前記洗濯機の排水ホースが接続され、前記フィルタを収容するケースと、
前記ケースと接合し、かつ、前記排水を排水管に排出する排水トラップに接続され、前記ケース内の前記排水を前記洗濯機の下方に位置する前記排水トラップに排出する排出筒と、を有し、
前記排出筒は、前記ケースの下部から下方に向かって伸長させた先端が前記排水トラップに直に接続される、リント捕集器。
【請求項２】
前記ケースは、前記排水ホースを接続する接続口が側壁に備えられている、請求項１に記載のリント捕集器。
【請求項３】
前記ケースの開口に取り付けられ、開いた状態において、前記フィルタを外部に臨ませるフタを、さらに有する、請求項１または２に記載のリント捕集器。
【請求項４】
前記フィルタは、前記ケースの底面から離間して水平に配置され、
前記ケースに配置され、上端から下端まで貫通し前記排水を排出する排出部材を、さらに有し、
前記排出部材の前記上端は、前記ケースの上端に位置する開口よりも下方であって前記フィルタよりも上方に位置し、
前記排出部材の前記下端は、前記フィルタと同一または下方であって前記底面よりも上方に位置する、請求項１〜３のいずれか１項に記載のリント捕集器。
【請求項５】
前記ケースに着脱自在に設けられ、前記排水に含まれるヌメリを防止または除去する薬剤を収納した収納器を、さらに有する、請求項１〜４のいずれか１項に記載のリント捕集器。
【請求項６】
前記排出筒は、前記洗濯機を載置する防水パンに設置された前記排水トラップに接続される、請求項１〜５のいずれか１項に記載のリント捕集器。
【請求項７】
前記洗濯機をかさ上げして載置する前記防水パンに設置された前記排水トラップに接続される、請求項６に記載のリント捕集器。
【発明の詳細な説明】
【技術分野】
【０００１】
本発明は、リント捕集器に関する。
【背景技術】
【０００２】
従来から、洗濯機から排水と共に排出される糸屑等のリントを捕集するリント捕集器（リント捕集箱）がある（例えば、特許文献１および２参照。）。リント捕集器は、排水に含まれるリントを捕集しつつ、排水を排水管に向かって排出する。
【先行技術文献】
【特許文献】
【０００３】
【特許文献１】特許第３９５９２３２号公報
【特許文献２】特許第４７８４６１２号公報
【発明の概要】
【発明が解決しようとする課題】
【０００４】
特許文献１および２に記載のリント捕集器は、排水ホース間に接続され、洗濯機に隣接させるように配置することから、洗濯機の側方に十分なスペースが必要になる。すなわち、例えば洗濯機が室内の隅に幅寄せして設置され、洗濯機と壁の間に僅かな隙間しかない場合、その隙間にリント捕集器を設置し難い。
【０００５】
本発明は、上記の課題を解決するためになされたものであり、洗濯機の周囲の構造物との干渉を回避しつつ、洗濯機から排水と共に排出されるリントを捕集することができるリント捕集器の提供を目的とする。
【課題を解決するための手段】
【０００６】
上記目的を達成する本発明に係るリント捕集器は、洗濯機から排水と共に排出されるリントを捕集するフィルタと、前記洗濯機の排水ホースが接続され、前記フィルタを収容するケースと、前記ケースと接合し、かつ、前記排水を排水管に排出する排水トラップに接続され、前記ケース内の前記排水を前記洗濯機の下方に位置する前記排水トラップに排出する排出筒と、を有する。ここで、前記排出筒は、前記ケースの下部から下方に向かって伸長させた先端が前記排水トラップに直に接続される。
【発明の効果】
【０００７】
上記のように構成したリント捕集器によれば、ケースの下部に備えた排出筒を、排水トラップに対して直接的に接続している。したがって、リント捕集器は、洗濯機の周囲の構造物との干渉を回避しつつ、洗濯機から排水と共に排出されるリントを捕集することができる。
【図面の簡単な説明】
【０００８】
【図１】実施形態のリント捕集器を示す斜視図であって、（Ａ）はリント捕集器を上方から示し、（Ｂ）はリント捕集器を下方から示している。
【図２】リント捕集器からフタを除いた状態を示す斜視図である。
【図３】防水パンに設置された排水トラップに対してリント捕集器を取り付けた状態を断面によって示す斜視図である。
【発明を実施するための形態】
【０００９】
以下、添付した図面を参照しながら、本発明の実施形態を説明する。図面の説明において同一の要素には同一の符号を付し、重複する説明を省略する。図面における各部材の大きさや比率は、説明の都合上誇張され実際の大きさや比率とは異なる場合がある。
【００１０】
図１は、実施形態のリント捕集器１００を示す斜視図であって、（Ａ）はリント捕集器１００を上方から示し、（Ｂ）はリント捕集器１００を下方から示している。図２は、リント捕集器１００からフタ１０２を除いた状態を示す斜視図である。図３は、防水パン３００に設置された排水トラップ２００に対してリント捕集器１００を取り付けた状態を断面によって示す斜視図である。
【００１１】
リント捕集器１００は、概説すれば、図３に示すように、洗濯機（不図示、以下同様）から排水と共に排出されるリント（糸屑）を捕集するフィルタ１０４と、洗濯機の排水ホース（不図示、以下同様）が接続され、フィルタ１０４を収容するケース１０１と、ケース１０１と接合し、かつ、排水を排水管に排出する排水トラップ２００に接続され、ケース１０１内の排水を洗濯機の下方に位置する排水トラップ２００に排出する排出筒１０３と、を有する。ここで、排出筒１０３は、ケース１０１の下部から下方に向かって伸長させた先端１０３ｂが排水トラップ２００に直に接続される。
【００１２】
リント捕集器１００は、さらに、図２および図３に示すように、フィルタ１０４を外部に臨ませるフタ１０２と、フィルタ１０４の目詰まりに起因してケース１０１内に溜った排水をフィルタ１０４を迂回させて排出する排出部材１０５と、ケース１０１に着脱自在に設けられ、排水によって発生するヌメリを防止または除去する薬剤（不図示、以下同様）を収納した収納器１０６と、を有する。
【００１３】
リント捕集器１００は、図３に示すように、防水パン３００に設置された排水トラップ２００に接続して使用される。リント捕集器１００の排出筒１０３が、排水トラップ２００の流路筒２１０内に挿入されている。防水パン３００は、洗濯機の脚を載置する載置面３００ｂが、洗濯機から漏れた排水を排水トラップ２００に排水する排水面３００ａから、かさ上げされている。以下、リント捕集器１００の構成について説明する。
【００１４】
ケース１０１は、図１〜図３に示すように、フィルタ１０４を収容するものである。
【００１５】
ケース１０１は、例えば、上方に開口１０１ａを備えた扁平な箱状に構成されている。ケース１０１の側壁に、排水ホースを接続する接続口１０１ｂが備えられている。排水ホースを取り付ける継手１０１ｃが、ケース１０１の外側面１０１ｇの側から、接続口１０１ｂに接合されている。継手１０１ｃは、水平方向に向かって伸長した筒状から構成されている。ケース１０１の底面１０１ｄの中央には、貫通孔からなる排出口１０１ｅが備えられている。排出口１０１ｅは、排出筒１０３につながっている。底面１０１ｄは、凹状からなり、外方に形成された４つの斜面と、内方に形成された水平な１つの平面によって構成されている。
【００１６】
側壁の内側面１０１ｆの下部には、図３に示すように、フィルタ１０４を載置する載置面１０１ｐが備えられている。ここで、載置面１０１ｐよりも下方に位置する部分が、底面１０１ｄに相当する。ケース１０１は、フィルタ１０４との間を部分的に仕切る仕切板１０１ｈを備えている。仕切板１０１ｈは、ケース１０１の載置面１０１ｐから開口１０１ａまで延在し、かつ、一側端部１０１ｉがケース１０１の内側面１０１ｆに接合されている。一側端部１０１ｉは、外側面１０１ｇから内側面１０１ｆまで貫通した接続口１０１ｂと、フィルタ１０４の間を分断している。他側端部１０１ｊは、水平に配置されたフィルタ１０４よりも上方に位置する部分に切欠部１０１ｋが形成されている。
【００１７】
ケース１０１は、独立した部材からなる継手１０１ｃおよび仕切板１０１ｈを接合して構成してもよいし、継手１０１ｃおよび仕切板１０１ｈと一体的に形成して構成してもよい。
【００１８】
排水は、ケース１０１の継手１０１ｃから接続口１０１ｂを介して、ケース１０１内に排出された後、仕切板１０１ｈによってフィルタ１０４と隔離された空間を通ってから、仕切板１０１ｈの切欠部１０１ｋを通ってフィルタ１０４の上方に排出され、フィルタ１０４に開口した挿通口１０４ａを介して、ケース１０１の底面１０１ｄに開口した排出口１０１ｅから排出筒１０３に流出される。
【００１９】
フタ１０２は、図１に示すように、フィルタ１０４を外部に臨ませ、かつ、フィルタ１０４をケース１０１の外部に取り出すためのものである。
【００２０】
フタ１０２は、例えば、ケース１０１の開口１０１ａの形状に対応した板状からなる。フタ１０２の一端１０２ａは、ケース１０１の外側面１０１ｇに備えられたヒンジ１０１ｍに回転自在に連結されている。フタ１０２は、一端１０２ａと対向した他端１０２ｂの中央部分に、鉤状のフック１０２ｃが取り付けられている。フック１０２ｃは、ケース１０１の外側面１０１ｇに備えられた鉤状の引掛部１０１ｎに着脱される。フタ１０２は、閉まった状態において、ケース１０１の開口１０１ａを封止する。フタ１０２は、開いた状態においてケース１０１内に配置されたフィルタ１０４を外部に臨ませ、かつ、ケース１０１内に配置されたフィルタ１０４を外部に取り出すことができる。
【００２１】
排出筒１０３は、図１および図３に示すように、ケース１０１内の排水を排水トラップ２００に排出するものである。
【００２２】
ここで、排出筒１０３は、ケース１０１の下部から下方に向かって伸長させた先端１０３ｂが排水トラップ２００に直に接続される。
【００２３】
排出筒１０３は、例えば、円筒形状からなり、基端１０３ａから先端１０３ｂまで貫通されている。排出筒１０３の基端１０３ａは、ケース１０１の下方の側から、そのケース１０１の排出口１０１ｅに接合されている。排出部材１０５は、ケース１０１と一体的に成形してもよい。排出筒１０３は、外周面に環状の凸部１０３ｃが形成されている。凸部１０３ｃは、排水トラップ２００の流路筒２１０の内周面に嵌合する。排出筒１０３は、図３に示すように、排水トラップ２００の流路筒２１０に挿入される。
【００２４】
フィルタ１０４は、図２および図３に示すように、洗濯機から排水と共に排出されるリント（例えば糸屑や固形塵）を捕集するものである。
【００２５】
フィルタ１０４は、例えば、正方形状の貫通孔からなる挿通口１０４ａをマトリクス状に備えた格子状の枠体１０４ｂから構成されている。フィルタ１０４は、水平に配置され、ケース１０１の底面１０１ｄから離間した状態において、その外縁１０４ｃの一部が、載置面１０１ｐに載置されている。
【００２６】
フィルタ１０４は、長方形の貫通孔からなり、排出部材１０５と接合する連結口１０４ｄを備えている。フィルタ１０４は、収納器１０６を隣接させる切欠１０４ｅを外縁１０４ｃの端部に備えている。排水は、フィルタ１０４に備えられた挿通口１０４ａを通って排出される。排水に含まれるリント（少なくとも一部）は、枠体１０４ｂに引っ掛かって捕集される。
【００２７】
排出部材１０５は、図２および図３に示すように、フィルタ１０４の目詰まりに起因してケース１０１内に溜った排水を、フィルタ１０４の挿通口１０４ａを迂回させてケース１０１の排出口１０１ｅから排出するものである。
【００２８】
排出部材１０５は、例えば、長方体形状からなり、上端１０５ａから下端１０５ｂまで貫通している。排出部材１０５下端１０５ｂは、フィルタ１０４の連結口１０４ｄに接着されている。排出部材１０５は、フィルタ１０４と一体的に成形してもよい。排出部材１０５の上端１０５ａは、ケース１０１の開口１０１ａよりも下方に位置している。排出部材１０５は、フィルタ１０４の目詰まりに起因して水位が上昇した排水を、上端１０５ａから下端１０５ｂに向かって排出する。
【００２９】
収納器１０６は、図２および図３に示すように、ケース１０１に着脱自在に設けられ、排水に含まれるヌメリを防止または除去する薬剤を収納したものである。
【００３０】
収納器１０６は、フィルタ１０４の切欠１０４ｅの部分に配置されている。収納器１０６は、ケース１０１内に着脱可能に取り付けられている。収納器１０６は、収納した薬剤をケース１０１内の排水に浸すために、排水の流入口１０６ａを備えている。収納器１０６は、薬剤を含んだ排水を排出するための排出口を、下部に備えている。
【００３１】
収納器１０６に収納された薬剤は、排水によって発生するヌメリを防止または除去するものである。薬剤には、例えば、塩素系の酸化剤の所謂さらし粉や、非塩素系の酸化剤の過炭酸ナトリウムを用いることができる。薬剤は、安全性、取り扱い易さ、および寿命を考慮して、例えば固形にして用いることが好ましい。薬剤は、ヌメリの発生を抑制させる。ここで、リントがフィルタ１０４に付着した後、そのリントの内部において排水に含まれる雑菌が増殖すると、ヌメリが発生する。そのヌメリによって、別なリントがフィルタ１０４に付着し易い状態となり、かつ、フィルタ１０４に汚れが付着してしまう。
【００３２】
薬剤は、収納器１０６に収納して用いる構成に限定されない。例えば、薬剤は、ケース１０１の隅等に留置して用いる構成としてもよい。この場合、薬剤の消耗具合を、一見して確認することができる。
【００３３】
以上説明した実施形態の作用効果を説明する。
【００３４】
リント捕集器１００は、洗濯機から排水と共に排出されるリント（糸屑）を捕集するフィルタ１０４と、洗濯機の排水ホースが接続され、フィルタ１０４を収容するケース１０１と、ケース１０１と接合し、かつ、排水を排水管に排出する排水トラップ２００に接続され、ケース１０１内の排水を洗濯機の下方に位置する排水トラップ２００に排出する排出筒１０３と、を有する。ここで、排出筒１０３は、ケース１０１の下部から下方に向かって伸長させた先端１０３ｂが排水トラップ２００に直に接続される。
【００３５】
かかるリント捕集器１００によれば、ケース１０１の下部に備えた排出筒１０３を、排水トラップ２００に対して直接的に接続している。したがって、リント捕集器１００は、洗濯機の周囲の構造物との干渉を回避しつつ、洗濯機から排水と共に排出されるリントを捕集することができる。
【００３６】
ケース１０１は、排水ホースを接続する接続口１０１ｂが側壁に備えられていることが好ましい。
【００３７】
かかるケース１０１を備えたリント捕集器１００は、上方に位置する洗濯機との隙間に、排水ホースを這わせる必要がない。したがって、リント捕集器１００は、上方と比較してスペースに余裕がある側方から排水ホースを接続することができる。
【００３８】
ケース１０１の開口１０１ａに取り付けられ、開いた状態において、フィルタ１０４を外部に臨ませるフタ１０２を、さらに有することが好ましい。
【００３９】
かかるフタ１０２を備えたリント捕集器１００によれば、フィルタ１０４によって捕集されたリントを、フタ１０２を開いて簡単に除去することができる。さらに、フタ１０２を開き、リントを捕集したフィルタ１０４を外部に取り出して、そのフィルタ１０４を効率良く清掃することができる。したがって、リント捕集器１００は、フィルタ１０４のメンテナンスを容易に行うことができる。
【００４０】
ケース１０１に配置され、上端１０５ａから下端１０５ｂまで貫通し排水を排出する排出部材１０５を、さらに有することが好ましい。フィルタ１０４は、ケース１０１の底面１０１ｄから離間して水平に配置されている。排出部材１０５の上端１０５ａは、ケース１０１の上端に位置する開口１０１ａよりも下方であってフィルタ１０４よりも上方に位置している。排出部材１０５の下端１０５ｂは、フィルタ１０４と同一または下方であって底面１０１ｄよりも上方に位置している。
【００４１】
かかる排出部材１０５を備えたリント捕集器１００は、リント等によってフィルタ１０４が目詰まりして排水が溜っても、排出部材１０５の上端１０５ａまで水位が上昇したときに、排出部材１０５の上端１０５ａから下端１０５ｂを介して排出することができる。したがって、例えば、フィルタ１０４のメンテナンスを長期間に亘って実施せず、そのフィルタ１０４に多くのリントが付着して目詰まりしていたとしても、排出部材１０５を介して排水を排出することができる。
【００４２】
ケース１０１に着脱自在に設けられ、排水に含まれるヌメリを防止または除去する薬剤を収納した収納器１０６を、さらに有することが好ましい。
【００４３】
かかる収納器１０６を備えたリント捕集器１００は、ヌメリによってフィルタ１０４が目詰まりすることを防止できる。さらに、収納器１０６は、収納した薬剤が消費されたときに、ケース１０１から取り外し、薬剤を容易に補充することができる。したがって、リント捕集器１００は、フィルタ１０４の目詰まりに起因した漏水を防止できる。
【００４４】
排出筒１０３は、洗濯機を載置する防水パン３００に設置された排水トラップ２００に接続されることが好ましい。
【００４５】
かかるリント捕集器１００は、仮に漏水した場合に、防水パン３００から排水トラップ２００に排水することができる。すなわち、リント捕集器１００は、排水が周囲（室内の床面）に漏れ出すことを防止できる。
【００４６】
なお、防水パン３００のサイズ（横幅および奥行）は、洗濯機のサイズ（横幅および奥行）よりも若干大きい程度である。したがって、従来のリント捕集器は、洗濯機を載置した防水パン３００に十分に収めることができず、洗濯機の脇に配置した状態（防水パン３００からはみ出した状態）において使用することになる。すなわち、従来のリント捕集器は、漏水すると、排水が周囲（室内の床面）に漏れ出してしまう。
【００４７】
リント捕集器１００は、洗濯機をかさ上げして載置する防水パン３００に設置された排水トラップ２００に接続されることが好ましい。
【００４８】
かかるリント捕集器１００は、洗濯機と防水パン３００の間に十分に配置することができる。
【００４９】
フィルタ１０４は、糸屑を含むリントを捕集する。
【００５０】
かかるリント捕集器１００は、特に、洗濯機によって洗濯する衣服の糸屑を捕集する。
【００５１】
以上、本発明における好適な実施形態を説明したが、これらは本発明を説明するための例示であり、本発明の範囲をこれらの実施形態にのみ限定する趣旨ではない。したがって、本発明は、その要旨を逸脱しない範囲で、上述した実施形態とは異なる種々の態様で実施することができる。すなわち、本発明は、特許請求の範囲に記載された構成に基づき様々な改変が可能であり、それらについても本発明の範疇である。
【符号の説明】
【００５２】
１００    リント捕集器、
１０１    ケース、
１０１ａ  開口、
１０１ｂ  接続口、
１０１ｃ  継手、
１０１ｄ  底面、
１０１ｅ  排出口、
１０１ｆ  内側面、
１０１ｇ  外側面、
１０１ｈ  仕切板、
１０１ｉ  一側端部、
１０１ｊ  他側端部、
１０１ｋ  切欠部、
１０１ｍ  ヒンジ、
１０１ｎ  引掛部、
１０１ｐ  載置面、
１０２    フタ、
１０２ａ  一端、
１０２ｂ  他端、
１０２ｃ  フック、
１０３    排出筒、
１０３ａ  基端、
１０３ｂ  先端、
１０３ｃ  凸部、
１０４    フィルタ、
１０４ａ  排水口、
１０４ｂ  枠体、
１０４ｃ  外縁、
１０４ｄ  連結口、
１０４ｅ  切欠、
１０５    排出部材、
１０５ａ  上端、
１０５ｂ  下端、
１０６    収納器、
１０６ａ  流入口、
２００    排水トラップ、
２１０    流路筒、
３００    防水パン、
３００ａ  排水面、
３００ｂ  載置面。
【図１】
2018000784.tif 000003
【図２】
2018000784.tif 000004
【図３】
2018000784.tif 000005